(57)【要約】【課題】ユーザーの利便性を向上することができる表示制御装置を提供する。【解決手段】表示制御装置１５は、携帯端末装置１１にインストールされたアプリケーションを立ち上げるアイコンを表示画面１４上に表示するよう制御する。表示制御装置１５は、表示制御部１６と、アプリケーション決定部１７とを備える。表示制御部１６は、複数のアプリケーションによって立ち上げ可能なファイルのアイコンを表示するよう制御する。アプリケーション決定部１７は、表示制御部１６により表示されたアイコンに対するジェスチャ操作の方向に応じて、複数のアプリケーションの中から、立ち上げるアプリケーションを決定する。【選択図】図１
2017157057.tif 000002
【特許請求の範囲】
【請求項１】
電子機器にインストールされたアプリケーションを立ち上げるアイコンを表示画面上に表示するよう制御する表示制御装置であって、
複数のアプリケーションによって立ち上げ可能なファイルのアイコンを表示するよう制御する表示制御部と、
前記表示制御部により表示された前記アイコンに対するジェスチャ操作の方向に応じて、複数の前記アプリケーションの中から、立ち上げるアプリケーションを決定するアプリケーション決定部とを備える、表示制御装置。
【請求項２】
前記アプリケーション決定部は、前記アプリケーションの数に応じて、前記アイコンに対するジェスチャ操作の方向に応じた前記アプリケーションを決定する、請求項１に記載の表示制御装置。
【請求項３】
前記表示制御部は、前記アイコンに、前記アイコンに対するジェスチャ操作の方向と立ち上がる前記アプリケーションとを表示するよう制御する、請求項１または２に記載の表示制御装置。
【請求項４】
前記アプリケーションは、動画を再生するアプリケーションである、請求項１〜３のいずれか１項に記載の表示制御装置。
【発明の詳細な説明】
【技術分野】
【０００１】
この発明は、表示制御装置に関するものである。
【背景技術】
【０００２】
スマートフォンといった携帯端末装置の表示画面には、タッチによりアプリケーションを立ち上げたり、ファイルやフォルダを開けたりするアイコンが表示されている。アイコンをタッチすると、ウィンドウを開いて表示して、アプリケーションが立ち上がったり、ファイルやフォルダが開いたりする。
【０００３】
一般的には、携帯端末装置には、用途毎に複数の種類に亘って、アプリケーションが複数インストールされている。ここで、アプリケーションのインストールやアプリケーションの切り替えに関する技術が、特開２００２−７１３８号公報（特許文献１）、および特開２００５−２４２６３１号公報（特許文献２）に開示されている。
【０００４】
特許文献１には、データファイルを解析して特徴点を抽出するステップと、抽出された特徴点に基づいて当該データファイルに適したアプリケーションのバージョンを決定するステップと、決定されたバージョンのアプリケーションプログラムが既にインストールされているか否かを判定するステップと、インストールされていないときに当該バージョンのアプリケーションプログラムを新たにインストールするステップとからなるアプリケーションのインストール方法が開示されている。
【０００５】
特許文献２に開示のアプリケーション切り替え方法によると、複数のアプリケーション間で動作を引き継ぐために必要なアプリケーション動作引き継ぎ情報を格納するステップと、電池残量情報、アプリケーションＩＤ，およびアプリケーション動作引き継ぎ情報の種類、を関連付けたテーブルを格納するステップと、アプリケーション動作引き継ぎ情報、およびテーブルを用いて、次に動作すべきアプリケーションを電池残量に応じて選択するステップと、動作中のアプリケーションから、選択するステップで選択されたアプリケーションへの切り替えを行うステップと、から構成されることを特徴としている。
【先行技術文献】
【特許文献】
【０００６】
【特許文献１】特開２００２−７１３８号公報
【特許文献２】特開２００５−２４２６３１号公報
【発明の概要】
【発明が解決しようとする課題】
【０００７】
ファイルの中には、複数のアプリケーションで立ち上げ可能なものがある。例えば、動画を再生するアプリケーションである。
【０００８】
ここで、ファイルを開いてアプリケーションを立ち上げる場合、以下のような手順となる。すなわち、ファイルを示すアイコンのタッチを検知した後にウィンドウを開く。そして、携帯端末装置に既にインストールされた複数の動画を再生するアプリケーションをウィンドウ内に表示する。その後、ユーザーにより、いずれかのアプリケーションがタッチされて指定されたことを検知すれば、そのアプリケーションを立ち上げ、動画ファイルの再生を行うこととしていた。
【０００９】
しかし、このような状況では、アイコンをタッチする操作と、アプリケーションを指定する操作、といった複数の操作が必要となる。そうすると、ファイルを開いてアプリケーションを立ち上げる際のユーザーの操作数の増大を招くと共に、実際に動画が再生されるまでに長時間を要することとなる。このような状況は、好ましくない。すなわち、ユーザーの利便性の向上の観点からすると、動画ファイルを素早く立ち上げて再生を実行する際に、より円滑な操作性が求められる。
【００１０】
特許文献１に開示の技術では、インストールされていないときに当該バージョンのアプリケーションプログラムを新たにインストールするのみであり、上記した要望に応えることはできない。また、特許文献２に開示の技術では、電池残量に応じてアプリケーションを切り替えるのみであり、ユーザーの要望するアプリケーションを立ち上げられない場合もある。すなわち、ユーザーの要望通りの操作を行うことができない。
【００１１】
この発明の目的は、ユーザーの利便性を向上することができる表示制御装置を提供することである。
【課題を解決するための手段】
【００１２】
この発明の表示制御装置は、電子機器にインストールされたアプリケーションを立ち上げるアイコンを表示画面上に表示するよう制御する。表示制御装置は、表示制御部と、アプリケーション決定部とを備える。表示制御部は、複数のアプリケーションによって立ち上げ可能なファイルのアイコンを表示するよう制御する。アプリケーション決定部は、表示制御部により表示されたアイコンに対するジェスチャ操作の方向に応じて、複数のアプリケーションの中から、立ち上げるアプリケーションを決定する。
【発明の効果】
【００１３】
このような表示制御装置によると、複数のアプリケーションのうち、アイコンに対するジェスチャ操作の方向に応じて、立ち上げるアプリケーションを決定してアプリケーションを立ち上げることとしている。そうすると、ファイルを開け、アプリケーションを立ち上げる際のユーザーの操作数を低減して、操作性を向上することができる。この場合、アイコンに対するジェスチャ操作の方向により、ユーザーの要求するアプリケーションを立ち上げることができる。したがって、このような表示制御装置は、ユーザーの利便性を向上することができる。
【図面の簡単な説明】
【００１４】
【図１】この発明の一実施形態に係る表示制御装置を含む携帯端末装置の構成を示すブロック図である。
【図２】図１に示す携帯端末装置の外観を示す図である。
【図３】アイコンのフリックの動作の一例を示す図である。
【図４】フリックされたアイコンにより立ち上げられたアプリケーションの一例を示す図である。
【図５】フリックされたアイコンにより立ち上げられたアプリケーションの一例を示す図である。
【図６】アイコンのフリックの動作の一例を示す図である。
【発明を実施するための形態】
【００１５】
以下、この発明の実施の形態について説明する。図１は、この発明の一実施形態に係る表示制御装置を含む携帯端末装置の構成を示すブロック図である。図２は、図１に示す携帯端末装置の外観を示す図である。
【００１６】
図１および図２を参照して、携帯端末装置１１は、携帯端末装置制御部１２と、ハードディスク１３と、表示画面１４と、表示制御装置１５とを備える。携帯端末装置制御部１２は、携帯端末装置１１自身を制御する。ハードディスク１３は、データを格納する。ハードディスク１３には、種々のアプリケーションがインストールされている。
【００１７】
表示画面１４は、携帯端末装置１１における情報の表示に際して、ユーザーへの出力のインターフェースとなる。すなわち、表示画面１４において、携帯端末装置１１における種々の情報を表示すると共に、ユーザーによる入力内容等を表示する。具体的には、表示画面１４には、タッチ操作により、アプリケーションを立ち上げたり、ファイルやフォルダを開けたりするアイコンやツールバー等が表示されている。
【００１８】
表示画面１４は、タッチパネル型式であり、ユーザーから携帯端末装置１１に対する入力のインターフェースとなる。すなわち、ユーザーは、表示画面１４に表示される内容を見て、指を使ってタッチ等を行うことにより、携帯端末装置１１への動作の実行の命令の入力や数値データの入力等の操作を行う。
【００１９】
表示制御装置１５は、押下操作としてのタップや押下した後に指をいずれかの方向に移動させて指示を行うフリック等、ジェスチャ操作により電子機器としての携帯端末装置１１にインストールされたアプリケーションを立ち上げるアイコンを表示画面１４上に表示するよう制御する。
【００２０】
ここで、表示制御装置１５は、表示制御部１６と、アプリケーション決定部１７とを備える。表示制御部１６は、複数のアプリケーションによって立ち上げ可能なファイルのアイコンを表示するよう制御する。アプリケーション決定部１７は、表示制御部１６により表示されたアイコンに対するジェスチャ操作の方向に応じて、複数のアプリケーションの中から、立ち上げるアプリケーションを決定する。ここで、ジェスチャ操作については、上記したフリックに限らず、スワイプやピンチ等も含むものである。すなわち、スワイプ操作の方向やピンチ操作の方向に応じて、複数のアプリケーションの中から、立ち上げるアプリケーションを決定する。なお、以下については、ジェスチャ操作の一例としてフリックを採用した場合について説明する。
【００２１】
図３は、アイコンに対するジェスチャ操作、この場合、アイコンのフリックの動作の一例を示す図である。図３を参照して、表示画面１４には、アイコン２１が表示されている。アイコン２１には、ファイル名として、「Ｘ」の表記２２がなされている。ファイルＸは、複数のアプリケーションによって立ち上げ可能である。携帯端末装置１１には、ファイルＸを立ち上げ可能なアプリケーションＹ、およびアプリケーションＺがインストールされている。一例として、ファイルＸは、いわゆる動画ファイルであり、アプリケーションＹ、Ｚはそれぞれ、動画を再生するアプリケーションである。すなわち、表示制御部１６は、二つのアプリケーションＹ、Ｚによって立ち上げ可能なファイルＸのアイコン２１を表示するよう制御している。
【００２２】
ここで、アプリケーション決定部１７は、表示画面１４に表示されたアイコン２１について、図３中の紙面上方向である矢印Ｄ１で示す方向にフリックをすると、フリックの方向に応じて、二つのアプリケーションＹ、Ｚの中から、ファイルＸを立ち上げるアプリケーションをアプリケーションＹに決定する。また、図３中の紙面右方向である矢印Ｄ２で示す方向にフリックをすると、フリックの方向に応じて、二つのアプリケーションＹ、Ｚの中から、ファイルＸを立ち上げるアプリケーションをアプリケーションＺに決定する。
【００２３】
図４は、矢印Ｄ１で示す方向にフリックされたアイコン２１により立ち上げられたアプリケーションＹの一例を示す図である。図４を参照して、矢印Ｄ１で示す方向にアイコン２１をフリックすると、ウィンドウ２３ａが開き、アプリケーションＹが立ち上がる。図５は、矢印Ｄ２で示す方向にフリックされたアイコンにより立ち上げられたアプリケーションＺの一例を示す図である。図５を参照して、矢印Ｄ２で示す方向にアイコン２１をフリックすると、ウィンドウ２３ｂが開き、アプリケーションＺが立ち上がる。すなわち、アイコン２１については、フリックの方向に応じて、立ち上がるアプリケーションＹ、Ｚが決定される。
【００２４】
このような構成の表示制御装置１５によると、二つのアプリケーションＹ、Ｚのうち、アイコン２１に対するフリックの方向に応じて、立ち上げるアプリケーションＹ、Ｚを決定してアプリケーションＹ、Ｚを立ち上げることとしている。そうすると、ファイルＸを開けてアプリケーションを立ち上げる際のユーザーの操作数を低減して、操作性を向上することができる。この場合、フリックの方向により、ユーザーの要求するアプリケーションＹ、Ｚを立ち上げることができる。したがって、このような表示制御装置１５は、ユーザーの利便性を向上することができる。
【００２５】
なお、上記の実施の形態においては、二つのアプリケーションＹ、Ｚのいずれかが立ち上がることとしたが、これに限らず、ファイルＸが、四つのアプリケーションによって立ち上げ可能な構成である場合、フリックの方向として上下左右の四方向に応じて、それぞれアプリケーションを立ち上げるようにしてもよい。
【００２６】
図６は、この場合のアイコンのフリックの動作の一例を示す図である。図６を参照して、アイコン２１において、矢印Ｄ１で示す方向にアイコン２１をフリックすると、アプリケーションＹが立ち上がる。矢印Ｄ２で示す方向にアイコン２１をフリックすると、アプリケーションＺが立ち上がる。矢印Ｄ３で示す方向にアイコン２１をフリックすると、アプリケーションＷが立ち上がる。矢印Ｄ４で示す方向にアイコン２１をフリックすると、アプリケーションＶが立ち上がる。このように、四つのアプリケーションＹ、Ｚ、Ｗ、Ｖを、アイコン２１に対する上下左右の四つの方向にフリックすることによって、立ち上げ可能な構成としてもよい。なお、この場合、上下左右に真っ直ぐな方向ではなくとも、それぞれ例えば、４５度ずつ点線で分けられた領域の方向にフリックされれば、それぞれのアプリケーションＹ、Ｚ、Ｗ、Ｖを立ち上げるようにしてもよい。
【００２７】
なお、アプリケーション決定部１７は、アプリケーションの数に応じて、フリックの方向に応じたアプリケーションを決定するようにしてもよい。すなわち、ファイルＸによって立ち上げ可能なアプリケーションの数が二つであった場合、左右の一方側にフリックされれば、一方のアプリケーションを立ち上げ、他方側にフリックされれば、他方のアプリケーションを立ち上げるようにする。また、ファイルＸによって立ち上げ可能なアプリケーションの数が四つであった場合、上下左右の四方向のいずれかにフリックされれば、その方向に応じたアプリケーションを立ち上げるようにする。このようにしてもよい。
【００２８】
また、上記の実施の形態において、表示制御部１６は、アイコン２１に、フリックの方向と立ち上がるアプリケーションＹ、Ｚとを表示するよう制御することとしてもよい。こうすることにより、アイコン２１を見てどの方向にフリックすればどのアプリケーションＹ、Ｚが立ち上がるのか容易に把握でき、よりユーザーの利便性の向上を図ることができる。この場合、アイコン２１の上に常時表示することとしてもよいし、フリックの前のタッチの動作の際に表示するようにしてもよい。
【００２９】
なお、上記の実施の形態においては、表示制御装置１５を含む携帯端末装置１１の場合について説明したが、これに限らず、表示制御装置は、タブレットＰＣ等、電子機器にインストールされたアプリケーションを立ち上げるアイコンを表示画面上に表示するよう制御する場合に適用される。
【００３０】
また、アプリケーションは、動画を再生するアプリケーションであることとしたが、これに限らず、他のアプリケーション、例えば、表計算ソフトウェアのアプリケーションであったり、データベースのソフトウェアのアプリケーションであったり、文書作成のソフトウェアのアプリケーション等であってもよい。
【００３１】
今回開示された実施の形態および実施例はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００３２】
この発明に係る表示制御装置は、ユーザーの利便性の向上が要求される場合に、特に有効に利用される。
【符号の説明】
【００３３】
１１  携帯端末装置、１２  携帯端末装置制御部、１３  ハードディスク、１４  表示画面、１５  表示制御装置、１６  表示制御部、１７  アプリケーション決定部、２１  アイコン、２２  表記、２３ａ，２３ｂ  ウィンドウ。
【図１】
2017157057.tif 000003
【図２】
2017157057.tif 000004
【図３】
2017157057.tif 000005
【図４】
2017157057.tif 000006
【図５】
2017157057.tif 000007
【図６】
2017157057.tif 000008